(57)【特許請求の範囲】
【請求項１】
端末からコンテンツと、該コンテンツの生成タイミングに対応する位置情報とを受信する受信部と、
受信した前記位置情報に基づいて、前記コンテンツを配信すべき配信局を特定する特定部と、
特定した前記配信局に対して、前記コンテンツを配信する指示を送信する送信部と
を有することを特徴とする配信サーバ装置。
【請求項２】
前記受信部は、前記端末が有する画像もしくは音声の記録機能により前記端末の記憶部に記録された画像もしくは音声を含むコンテンツと、前記記憶部に該画像もしくは音声が記録された時点の該端末の位置を特定可能な位置情報とを受信することを特徴とする請求項１に記載の配信サーバ装置。
【請求項３】
前記位置情報は、前記コンテンツの属性情報に基づいて特定されることを特徴とする請求項１または２に記載の配信サーバ装置。
【請求項４】
前記特定部は、前記位置情報が示す位置を配信エリアに含む配信局を特定することを特徴とする請求項１〜３の何れか一つに記載の配信サーバ装置。
【請求項５】
前記特定部は、前記位置情報が示す位置と当該位置の周囲にある特定位置とを結ぶ経路上の位置を配信エリアに含む配信局を特定することを特徴とする請求項１〜３の何れか一つに記載の配信サーバ装置。
【請求項６】
前記端末は、前記配信局の受信履歴を有し、
前記受信部は、前記位置情報として、前記配信局の受信履歴のうち前記コンテンツの記録時点に対応する受信履歴が示す配信局を特定可能な情報を受信することを特徴とする請求項１〜５のいずれか一つに記載の配信サーバ装置。
【請求項７】
端末から送信されたコンテンツを配信サーバ装置が配信する配信方法であって、
前記配信サーバ装置が、
前記端末から、前記コンテンツおよび該コンテンツの生成タイミングに対応する位置情報を受信し、
受信した前記位置情報に基づいて、前記コンテンツを配信すべき配信局を特定し、
特定した前記配信局に対して、前記コンテンツを配信する指示を送信することを特徴とする配信方法。
【発明の詳細な説明】
【技術分野】
【０００１】
本発明は、配信サーバ装置および配信方法に関する。
【背景技術】
【０００２】
近年、サーバ装置が、個々のユーザ端末からのリクエストに応じて、スポットキャストなどの送信局からコンテンツをオンデマンドで提供する技術が知られている。例えば、コンテンツを提供する方法として、ユーザ端末が、受信中の送信局ＩＤをリクエストの中に含めてサーバへ送信する。そして、サーバ装置が、リクエストを受信すると、リクエストに対応するコンテンツを取得するとともに、リクエストに含まれる送信局ＩＤを抽出し、抽出した送信局ＩＤに対応する送信局を通じてコンテンツを放送する。
【先行技術文献】
【特許文献】
【０００３】
【特許文献１】特開平１１−１７７８６９号公報
【発明の概要】
【発明が解決しようとする課題】
【０００４】
しかしながら、上記した従来の技術では、ユーザ端末でコンテンツを受信することはできるが、ユーザ端末からコンテンツをサーバ装置にアップロードし、アップロードしたコンテンツを放送することができなかった。
【０００５】
また、ユーザ端末がサーバ装置に対してコンテンツのアップロードをリクエストするとともにコンテンツを放送する送信局を指定し、サーバ装置がアップロードされたコンテンツを指定された送信局から放送することも考えられえる。しかし、ユーザ側が放送局に関する情報を把握していない場合には、アップロードされたコンテンツを配信する放送局をユーザ側で適切に指定することが難しく、適切な放送局でコンテンツを配信することができないという課題がある。
【０００６】
そこで、この発明は、上述した従来技術の課題を解決するためになされたものであり、適切な放送局でコンテンツを配信することを目的とする。
【課題を解決するための手段】
【０００７】
開示の放送サーバ装置は、画像もしくは音声の記録機能を有する端末から、画像もしくは音声を含むコンテンツと、該画像もしくは音声を記録した時点の該端末の位置を特定可能な位置情報とを受信する受信部と、受信した前記位置情報に基づいて、前記コンテンツを放送すべき放送局を特定する特定部と、特定した前記放送局に対して、前記コンテンツを放送する指示を送信する送信部とを有することを特徴とする。
【発明の効果】
【０００８】
開示の放送サーバ装置は、適切な放送局でコンテンツを配信することができる。
【図面の簡単な説明】
【０００９】
【図１】図１は、実施例１に係るコンテンツ放送システムの機能的構成を説明する図である。
【図２】図２は、配信リストの一例を示す図である。
【図３】図３は、受信履歴の一例を示す図である。
【図４】図４は、コンテンツ配信画面の一例を示す図である。
【図５】図５は、携帯端末がコンテンツをアップロードし、他の携帯端末がコンテンツを受信する一連の処理を説明する図である。
【図６】図６は、実施例１に係るコンテンツ放送システムによるコンテンツ放送処理の流れを示すシーケンス図である。
【図７】図７は、ＧＰＳにより取得される位置情報の履歴の一例を示す図である。
【図８】図８は、配信処理プログラムを実行するコンピュータを示す図である。
【発明を実施するための形態】
【００１０】
以下に添付図面を参照して、この発明に係る放送サーバ装置および放送方法の実施例を詳細に説明する。なお、この実施例によりこの発明が限定されるものではない。また、処理に矛盾の生じない範囲で、各実施例を組み合わせて実行することができる。
【実施例１】
【００１１】
以下の実施例では、実施例１に係るコンテンツ放送システムの構成および処理の流れを順に説明し、最後に実施例１による効果を説明する。
【００１２】
［コンテンツ放送システムの構成］
最初に、図１を用いて、実施例１に係るコンテンツ放送システム１００の機能的構成を説明する。図１は、実施例１に係るコンテンツ放送システムの構成を説明する図である。図１に示すように、コンテンツ放送システム１００は、配信サーバ１０、複数の端末装置２０Ａ、２０Ｂ、および複数の微弱送信機３０Ａ〜３０Ｃを有する。配信サーバ１０は、各端末装置２０Ａ、２０Ｂおよび各微弱送信機３０Ａ〜３０Ｃとそれぞれネットワーク４０を介して接続される。なお、図１の例では、配信サーバの数が１台、端末装置の数が２台、微弱送信機の数が３台であるが、各装置の台数はこれに限定されるものではない。
【００１３】
配信サーバ１０は、微弱送信機３０Ａ〜３０Ｃに配信対象のコンテンツを配信し、微弱送信機３０Ａ〜３０Ｃにコンテンツを放送させるサーバ装置である。例えば、配信サーバ１０は、携帯端末２０Ａ、２０Ｂから放送要求を受け付けた場合に、放送要求の送信元の携帯端末２０Ａ、２０Ｂに対してコンテンツを放送することができる微弱送信機３０を複数の微弱送信機３０Ａ〜３０Ｃのなかから特定する。そして、配信サーバ１０は、特定した微弱送信機３０に対して配信対象のコンテンツを配信し、コンテンツを放送させる。なお、配信サーバ１０は、コンテンツを配信する際に、コンテンツとともに、コンテンツを放送する周波数帯を微弱送信機３０Ａ〜３０Ｃに送信する。
【００１４】
また、配信サーバ１０は、携帯端末２０Ａ、２０Ｂからコンテンツがアップロードされた場合には、アップロードされたコンテンツを放送する微弱送信機３０を複数の微弱送信機３０Ａ〜３０Ｃのなかから特定する。そして、配信サーバ１０は、特定した微弱送信機３０に対してコンテンツを配信する。なお、微弱送信機３０を特定する詳しい方法については、以下に詳述する。
【００１５】
携帯端末２０Ａ、２０Ｂは、少なくとも画像もしくは音声の記録機能を有する、携帯電話、ＰＣ（Personal  computer）、ＰＤＡ（Personal  Digital  Assistant）またはスマートフォンなどの端末装置である。携帯端末２０Ａ、２０Ｂは、記録した画像や音声のコンテンツを配信サーバ１０にアップロードし、微弱送信機３０Ａ〜３０Ｃに放送させる。例えば、携帯端末２０Ａ、２０Ｂは、カメラ機能やレコーダ機能を有し、ユーザの操作により、動画や写真などの画像データや、音楽や会話などの音声データを記録する。そして、携帯端末２０Ａ、２０Ｂは、画像データや音声データを放送対象のコンテンツとして、配信サーバ１０に送信する。
【００１６】
微弱送信機３０Ａ〜３０Ｃは、微弱電波でコンテンツを放送するスポットキャストである。例えば、微弱送信機３０Ａ〜３０Ｃは、コンテンツと、コンテンツを放送する際に使用する周波数帯とを配信サーバ１０から受信すると、受信した周波数帯を使用してコンテンツを微弱電波で放送する。なお、ここで微弱電波とは、例えば電波を扱うための免許が不要である微弱な電波であり、数ｃｍ〜２ｍ程度の範囲に存在する携帯端末２０Ａ、２０Ｂに届く程度の電波である。なお、微弱送信機３０Ａ〜３０Ｃは、スポットキャストに限定されるものではなく、ＴＶ局などの放送局であってもよい。
【００１７】
ここで、配信サーバ１０の構成について説明する。配信サーバ１０は、ＴＳ（Transport  Stream）ファイル記憶部１１、配信リスト記憶部１２、配信処理部１３を有する。以下に、各部について説明する。なお、配信リスト記憶部１２および配信処理部１３を実装する一例として、ＲＡＭ（Random  Access  Memory）、ＲＯＭ（Read  Only  Memory）、フラッシュメモリ（flash  memory）などの半導体メモリ素子、または、ハードディスク、光ディスクなどの記憶装置が挙げられる。また、配信処理部１３は、ＣＰＵ（Central  Processing  Unit）やＭＰＵ（Micro  Processing  Unit）などの処理装置が、プログラムを読み込んで実行することにより仮想的に実現される処理部である。
【００１８】
ＴＳファイル記憶部１１は、ＴＳファイル名に対応付けてＴＳファイルを記憶する。ここでＴＳファイルとは、コンテンツを記録したＭＰＥＧ−２  ＴＳ（Transport  Stream）形式のファイルである。なお、ここでは、ＴＳファイルの例を挙げて説明するが、コンテンツであれば、これに限定されない。
【００１９】
配信リスト記憶部１２は、各微弱送信機３０Ａ〜３０Ｃが放送するコンテンツに関する情報を記憶する。例えば、配信リスト記憶部１２は、図２に例示するように、微弱送信機３０Ａ〜３０Ｃを識別する識別子である「送信機ＩＤ」と、微弱送信機３０Ａ〜３０Ｃが放送するコンテンツを記録するファイルの名称である「ＴＳファイル名」とを対応付けて記憶する。図２は、配信リストの一例を示す図である。例えば、配信リスト記憶部１２は、送信機ＩＤ「Ｓ００１」の微弱送信機３０に対してＴＳファイル名「ＴＳ０１」のファイルを配信する旨の情報を記憶することを意味する。
【００２０】
配信処理部１３は、各種の処理手順などを規定したプログラムおよび所要データを格納するための内部メモリを有し、これらによって種々の処理制御を実行する。また、配信処理部１３は、受信部１３ａ、特定部１３ｂ、送信部１３ｃを有する。以下に、各部について説明する。
【００２１】
受信部１３ａは、画像もしくは音声を含むコンテンツと記録時点の携帯端末２０Ａ、２０Ｂの位置を特定可能な位置情報とを携帯端末２０Ａ、２０Ｂから受信する。例えば、受信部１３ａは、動画、写真、音楽などのコンテンツデータを記録するコンテンツファイル、コンテンツに対するコメントの情報であるコメント情報、および、位置情報として微弱送信機３０Ａ〜３０Ｃを識別する送信機ＩＤを含むパケットを受信する。そして、受信部１３ａは、受信したコンテンツファイル、コメント情報、送信機ＩＤを特定部１３ｂに通知する。
【００２２】
特定部１３ｂは、受信した位置情報に基づいて、コンテンツを放送すべき微弱送信機３０を特定する。特定部１３ｂは、コンテンツを放送すべき微弱送信機３０Ａ〜３０Ｃを特定する処理として、コンテンツとともに受信した送信機ＩＤに対応する微弱送信機３０を、コンテンツを放送すべき微弱送信機３０として特定する。そして、特定部１３ｂは、特定した微弱送信機の情報と放送すべきコンテンツの情報とを関連付けて配信リスト記憶部１２に格納する。
【００２３】
例えば、特定部１３ｂは、受信部１３ａから受信したコンテンツファイルおよびコメント情報を多重化してＴＳファイルを生成し、生成したＴＳファイルをＴＳファイル記憶部１１に格納する。また、受信部１３ａは、受信した送信機ＩＤと生成したＴＳファイルのＴＳファイル名とを対応付けて配信リスト１２に格納する。
【００２４】
送信部１３ｃは、特定した微弱送信機３０に対して、コンテンツを放送する指示を送信する。例えば、送信部１３ｃは、携帯端末２０Ａ、２０Ｂからコンテンツの放送要求を受け付けた場合に、放送要求に含まれる送信機ＩＤを抽出する。そして、送信部１３ｃは、抽出した送信機ＩＤに対応するＴＳファイル名を配信リスト１１から順次取得する。続いて、送信部１３ｃは、取得されたＴＳファイル名に対応するＴＳファイルをＴＳファイル記憶部１１から読み出す。そして、送信部１３ｃは、読み出したＴＳファイルを、放送要求に含まれる送信機ＩＤに対応する微弱送信機３０に対して配信する。
【００２５】
次に、携帯端末２０の構成について説明する。携帯端末２０は、受信履歴記憶部２１、コンテンツ記憶部２２、放送受信部２３、コンテンツ記録部２４、コンテンツ送信部２５を有する。以下に、各部について説明する。
【００２６】
受信履歴記憶部２１は、微弱送信機３０Ａ〜３０Ｃから放送されたコンテンツの受信履歴に関する情報を記憶する。例えば、受信履歴記憶部２１は、図３に例示するように、コンテンツを受信した時刻を示す受信時刻と、コンテンツを放送した微弱送信機３０Ａ〜３０Ｃを識別する送信機ＩＤとを対応付けて記憶する。図３は、受信履歴の一例を示す図である。例えば、受信履歴記憶部２１は、受信時刻「０：００」に送信機ＩＤ「Ｓ００１」の微弱送信機３０からコンテンツを受信する旨の情報を記憶する。
【００２７】
コンテンツ記憶部２２は、コンテンツ記録処理部２４で記録された動画や写真などの画像データや、音楽や会話などの音声データを記憶する。例えば、コンテンツ記憶部２２は、動画や写真などの画像データや音楽や会話などの音声データと、データのファイル名を示すコンテンツファイル名とを対応付けて記憶する。また、画像データや音声データの属性値には、記録した時刻である記録時刻が設定されている。
【００２８】
放送受信部２３は、微弱送信機３０Ａ〜３０Ｃから放送されたコンテンツを受信する。例えば、放送受信部２３は、微弱送信機３０Ａ〜３０Ｃから放送されたコンテンツを受信し、コンテンツに付加された送信機ＩＤを抽出する。続いて、放送受信部２３は、コンテンツを受信した時刻である受信時刻を取得する。
【００２９】
コンテンツ記録部２４は、カメラやレコーダを有し、動画や写真などの画像データや、音楽や会話などの音声データを記録する。例えば、コンテンツ記録部２４は、ユーザの操作を受け付けて、撮影機能または録音機能を起動する。そして、コンテンツ記録部２４は、ユーザの操作により、画像データまたは音声データを記録する。続いて、コンテンツ記録部２４は、記録した画像データまたは音声データの属性値に記録時刻を設定する。そして、画像データまたは音声データと、コンテンツファイル名とを対応付けてコンテンツ記憶部２２に格納する。
【００３０】
コンテンツ送信部２５は、コンテンツ記憶部２２に記憶されたコンテンツを配信サーバ１０に送信する。例えば、コンテンツ送信部２５は、ユーザの操作を受け付けて、配信サーバ１０にコンテンツをアップロードするアプリを起動し、コンテンツ送信画面を表示する。ここで、図４を用いて、コンテンツ送信画面の一例について説明する。図４は、コンテンツ配信画面の一例を示す図である。図４に示すように、コンテンツ送信画面には、メッセージ「おススメのお店・メニューの写真等を登録して下さい」と、コンテンツファイル名、ファイル選択ボタン、コメント記入欄、送信ボタンが表示される。
【００３１】
図４の例では、コンテンツ送信画面におけるコンテンツファイル名には、配信サーバ１０に送信されるコンテンツファイル名が表示される。また、ファイル選択ボタンが選択されると、コンテンツ記憶部２２に記憶された全てのコンテンツファイル名が表示され、表示されたコンテンツファイル名からユーザに指定されたコンテンツファイル名をコンテンツ送信画面に表示する。
【００３２】
また、コメント記入欄には、ユーザによって記入された、お店の名前やお店に対するコメントが表示される。また、送信ボタンが選択されると、コンテンツ送信画面に表示されたコンテンツファイル名のコンテンツと、コメント記入欄に記入されたコメントとが配信サーバに送信される。
【００３３】
ここで、コンテンツ送信部２５がコンテンツを配信サーバ１０に送信する処理について説明する。例えば、コンテンツ送信部２５は、コンテンツ送信画面における送信ボタンが選択されると、コンテンツ送信画面において選択されたコンテンツファイル名に対応するコンテンツの属性情報から記録時刻を特定する。
【００３４】
そして、コンテンツ送信部２５は、特定した記録時刻に対して直前の受信時刻を受信履歴記憶部２１から検索し、直前の受信時刻に対応する送信機ＩＤを抽出する。例えば、図３の例では、コンテンツ送信部２５は、特定した記録時刻が「０：３５」であった場合には、直前の受信時刻「０：３０」に対応する送信機ＩＤ「Ｓ００１」を抽出する。なお、記録時刻に対して直前の受信時刻に対応する送信機ＩＤを抽出する場合に限定されず、記録時刻に対して直後の受信時刻に対応する送信機ＩＤを抽出してもよいし、直前直後に関係なく時刻が最も近い受信時刻に対応する送信機ＩＤを抽出してもよい。
【００３５】
続いて、コンテンツ送信部２５は、コンテンツ送信画面において選択されたコンテンツファイル名に対応するコンテンツファイルをコンテンツ記憶部２２から読み出す。そして、コンテンツ送信部２５は、コンテンツファイル、コメント情報、送信機ＩＤを配信サーバ１０にパケット通信を利用して送信する。
【００３６】
微弱送信機３０Ａ〜３０Ｃは、放送処理部３１を有する。放送処理部３１は、配信サーバ１０から配信されたＴＳファイルを受信する。そして、放送処理部３１は、ＴＳファイルに自装置の送信機ＩＤを付加して、微弱電波でコンテンツの放送を開始する。
【００３７】
ここで、図５を用いて、携帯端末２０Ａがコンテンツをアップロードし、他の携帯端末２０Ｂがコンテンツを受信する一連の処理を説明する。図５は、携帯端末がコンテンツをアップロードし、他の携帯端末がコンテンツを受信する一連の処理を説明する図である。
【００３８】
図５のＡに示すように、ユーザが所有する携帯端末２０Ａが微弱送信機３０Ａから放送されるコンテンツを受信する。ここで、コンテンツを受信した携帯端末２０Ａは、受信したコンテンツに付加された送信機ＩＤを抽出し、送信機ＩＤとコンテンツを受信した受信時刻とを対応付けて受信履歴記憶部２１に格納する。なお、図５の例では、携帯端末２０Ａは、コンテンツとして、カレーのお店に関する画像コンテンツを受信したものとする。
【００３９】
そして、図５のＢに示すように、携帯端末２０Ａは、ユーザの操作により、動画撮影機能で動画を撮影する。そして、携帯端末２０Ａは、保存するコンテンツファイルの属性情報に撮影時刻を設定して、コンテンツ記憶部２２に保存する。なお、ここでは、図５の例では、カレーのお店に関する画像コンテンツを受信した直後に、カレーのお店で動画を撮影したものとする。なお、携帯端末２０Ａで撮影するのは静止画であっても構わない。
【００４０】
そして、図５のＣに示すように、携帯端末２０Ａは、撮影した動画を配信サーバ１０にアップロードする。例えば、携帯端末２０Ａは、ユーザの操作により、データ送信アプリを起動すると、コンテンツ送信画面を表示し、ユーザからのコンテンツファイル選択とコメント入力を受け付ける。そして、携帯端末２０Ａは、コンテンツファイルの属性情報から撮影時刻を特定し、撮影時刻に最も近い受信時刻に対応する送信機ＩＤを抽出する。そして、携帯端末２０Ａは、コンテンツファイル、コメント情報、送信機ＩＤを配信サーバ１０にパケット通信を利用して送信する。
【００４１】
そして、配信サーバ１０は、携帯端末２０Ａからコンテンツファイル、コメント情報、送信機ＩＤを受信すると、受信した送信機ＩＤからコンテンツを放送すべき微弱送信機２０Ａを特定する。続いて、特定した微弱送信機３０Ａに対して、コンテンツを放送する指示を送信する。
【００４２】
そして、図５のＤに示すように、微弱送信機３０Ａは、携帯端末２０Ａがアップロードしたコンテンツの放送を開始する。これにより、例えば、他のユーザが所有する携帯端末２０Ｂは、微弱送信機３０Ａから放送されるコンテンツとして、カレーのお店で撮影された動画コンテンツを受信することができる。
【００４３】
つまり、コンテンツ放送システム１００では、携帯端末２０Ａが、撮影した映像などのコンテンツをサーバにアップロードする場合に、撮影時に最も近い時刻にコンテンツを受信した微弱送信機３０Ａの送信機ＩＤを付加する。そして、配信サーバ１０が、アップロードされた映像に付加された送信機ＩＤに応じて、放送する微弱送信機３０を決定することで、映像の内容に適した放送局で放送できる。図５の例を挙げて説明すると、カレーのお店に関するコンテンツをアップロードした場合に、配信サーバ１０は、カレーのお店に近い微弱送信機３０Ａからカレーのお店に関するコンテンツを配信することができる。
【００４４】
［コンテンツ放送システムによる処理］
次に、図６を用いて、実施例１に係るコンテンツ放送システム１００による処理を説明する。図６は、実施例１に係るコンテンツ放送システムによるコンテンツ放送処理の流れを示すシーケンス図である。
【００４５】
図６に示すように、コンテンツ放送システム１００の配信サーバ１０は、配信リスト記憶部１１のＴＳファイルを順次取得し、取得されたＴＳファイル名に対応するＴＳファイルをＴＳファイル記憶部１１から読み出す。そして、配信サーバ１０は、読み出したＴＳファイルを、放送要求に含まれる送信機ＩＤに対応する微弱送信機に対して配信する（ステップＳ１０１）。
【００４６】
そして、微弱送信機３０は、配信サーバ１０から配信されたＴＳファイルを受信する（ステップＳ１０２）。続いて、放送処理部３１は、ＴＳファイルに自装置の送信機ＩＤを付加して、微弱電波でコンテンツの放送を開始する（ステップＳ１０３）。そして、携帯端末２０は、微弱送信機３０から放送されたコンテンツを受信すると（ステップＳ１０４）、コンテンツを受信した時刻を示す受信時刻とコンテンツを放送した微弱送信機３０の送信機ＩＤとを対応付けて記憶する（ステップＳ１０５）。
【００４７】
その後、携帯端末２０は、ユーザの操作を受け付けて、撮影機能または録音機能を起動する（ステップＳ１０６）。そして、ユーザによって記録されたコンテンツの属性値に記録時刻を設定し、コンテンツ記憶部２２に格納する（ステップＳ１０７）。
【００４８】
その後、携帯端末２０は、ユーザの操作により、データ送信アプリを起動すると（ステップＳ１０８）、コンテンツ送信画面を表示し、ユーザからのコンテンツファイル選択とコメント入力を受け付ける（ステップＳ１０９）。そして、携帯端末２０は、コンテンツファイルの属性情報から撮影時刻を特定し（ステップＳ１１０）、撮影時刻に最も近い受信時刻に対応する送信機ＩＤを抽出する（ステップＳ１１１）。
【００４９】
そして、携帯端末２０は、コンテンツファイル、コメント情報、送信機ＩＤを関連付けて、配信サーバ１０にパケット通信を利用して送信する（ステップＳ１１２）。そして、配信サーバ１０は、動画、写真、音楽などのコンテンツデータを記録するコンテンツファイル、コンテンツに対するコメントの情報であるコメント情報、および送信機ＩＤを含むパケットを受信する（ステップＳ１１３）。
【００５０】
そして、配信サーバ１０は、受信部１３ａから受信したコンテンツファイルおよびコメント情報を多重化してＴＳファイルを生成し、生成したＴＳファイルをＴＳファイル記憶部１１に格納する（ステップＳ１１４）。また、受信部１３ａは、受信した送信機ＩＤから微弱送信機３０を特定し、受信した送信機ＩＤと生成したＴＳファイルのＴＳファイル名とを対応付けて配信リスト１２に格納する（ステップＳ１１５）。その後、配信サーバ１０は、携帯端末２０からコンテンツの放送要求を受け付けた場合には、放送要求に含まれる送信機ＩＤを抽出する。そして、配信サーバ１０は、送信機ＩＤに対応するＴＳファイルを取得し、抽出した送信機ＩＤに対応する微弱送信機３０に対して、ＴＳファイルのコンテンツを放送する指示を送信する。
【００５１】
[実施例１の効果]
上述してきたように、実施例１に係る配信サーバ１０は、画像もしくは音声の記録機能を有する携帯端末２０Ａ、２０Ｂから、画像もしくは音声を含むコンテンツと記録時点の携帯端末２０Ａ、２０Ｂの位置を特定可能な位置情報とを受信する。そして、配信サーバ１０は、記録時点の携帯端末２０Ａ、２０Ｂの位置を特定可能な位置情報に基づいて、コンテンツを放送すべき微弱送信機３０を特定し、特定した微弱送信機３０に対して、コンテンツを放送する指示を送信する。これにより、実施例１に係る配信サーバ１０は、適切な微弱送信機３０でコンテンツを配信することができる。
【００５２】
また、実施例１によれば、配信サーバ１０は、位置情報に含まれる送信機ＩＤが示す放送局を特定する。例えば、悪意のあるユーザが、お店とは異なる場所で撮影した画像を、あたかもお店で撮影した画像かのように装って配信サーバ１０へアップロードしたとする。その場合、記録時点の携帯端末２０の位置を特定可能な位置情報は、お店の本当の所在地とは異なる位置情報を示すことになる。配信サーバ１０は、位置情報に含まれる送信機ＩＤが示す放送局を特定するので、そのような悪意のある画像が配信サーバ１０へアップロードされたとしても、該画像が放送される放送局は、お店の本当の所在地の最も近くもしくは近傍にある放送局とは異なることになる。その結果、悪意のあるコンテンツがお店の最も近くもしくは近傍の放送局で放送されることにより発生する風評被害を防止することができる。
【００５３】
また、実施例１によれば、携帯端末２０Ａ、２０Ｂは、微弱送信機３０Ａ〜３０Ｃの受信履歴を有する。また、配信サーバ１０は、位置情報として、微弱送信機３０Ａ〜３０Ｃの受信履歴のうちコンテンツの記録時点に対応する受信履歴が示す微弱送信機３０Ａ〜３０Ｃの送信機ＩＤを受信する。このため、位置情報として、微弱送信機３０Ａ〜３０Ｃの受信履歴を利用するので、位置情報の管理が容易にすることができる。
【実施例２】
【００５４】
ところで、上記の実施例１では、位置情報として、微弱送信機の受信履歴のうちコンテンツの記録時点に対応する受信履歴が示す微弱送信機の送信機ＩＤを利用する場合を説明したが、これに限定されるものではない。例えば、位置情報として、ＧＰＳ（Global  Positioning  System）により得られる携帯端末の位置情報を利用するようにしてもよい。
【００５５】
そこで、以下の実施例２では、ＧＰＳ機能により得られる携帯端末の位置情報を履歴情報として携帯端末が保持し、コンテンツの記録時点に対応するＧＰＳの位置情報をコンテンツとともに配信サーバに送信する場合について、図７を用いて説明する。図７は、ＧＰＳにより取得される位置情報の履歴の一例を示す図である。
【００５６】
携帯端末は、ＧＰＳ機能に得られた自装置の現在位置の情報を履歴情報として保持する。例えば、図７に例示するように、携帯端末は、履歴情報として、位置情報が取得された時刻と、携帯端末が位置する緯度および経度の情報である位置情報とを対応付けて記憶する。例えば、図７の例では、時刻「０：００」に緯度「３５．６」、経度「１３９．７」の地点に携帯端末が位置していたことを示す。なお、ＧＰＳ機能により位置情報を取得する場合に限らず、携帯端末が通信を行った基地局のＩＤを位置情報をとして用いるようにしてもよい。
【００５７】
そして、携帯端末は、コンテンツを配信サーバにアップロードする際に、コンテンツファイルの属性情報から撮影時刻を特定し、撮影時刻に最も近い時刻の位置情報（緯度経度情報）を抽出する。そして、携帯端末は、コンテンツファイル、コメント情報、位置情報（緯度経度情報）を配信サーバにパケット通信で送信する。
【００５８】
また、配信サーバは、各微弱送信機の設置位置である経度、緯度が示された位置情報を保持する。もしくは、配信サーバ１０は各微弱送信機の送信波が携帯端末２０により受信可能な範囲である放送エリアの範囲を、緯度経度の情報として保持してもよい。そして、配信サーバは、コンテンツファイル、コメント情報、位置情報を受信すると、受信した位置情報すなわちコンテンツ記録時の緯度経度と、各微弱送信機の緯度経度とを比較して、最も近い微弱送信機もしくは、コンテンツ記録時の緯度経度を放送エリア内に含む微弱送信機を特定する。その後、配信サーバは、実施例１と同様に、特定した微弱送信機に対して、コンテンツを放送する指示を送信する。
【００５９】
このように、上記の実施例２では、ＧＰＳ機能により得られる携帯端末の位置情報を履歴情報として携帯端末が保持し、コンテンツの記録時点に対応するＧＰＳの位置情報をコンテンツとともに配信サーバに送信する。このため、既存のＧＰＳ機能を利用して、簡易かつ正確に位置情報を取得することができる。
【００６０】
また、実施例２によれば、配信サーバ１０は、位置情報が示す位置を放送エリアに含む放送局を特定する。例えば、悪意のあるユーザが、お店とは異なる場所で撮影した画像を、あたかもお店で撮影した画像かのように装って配信サーバ１０へアップロードしたとする。その場合、記録時点の携帯端末２０の位置情報は、お店の本当の所在地とは異なる位置情報を示すことになる。配信サーバ１０は、位置情報が示す位置を放送エリアに含む放送局を特定するので、そのような悪意のある画像が配信サーバ１０へアップロードされたとしても、該画像が放送される放送局は、お店の本当の所在地を放送エリアに含む放送局とは異なることになる。その結果、悪意のあるコンテンツがお店の近傍の放送局で放送されることにより発生する風評被害を防止することができる。
【実施例３】
【００６１】
さて、これまで実施例１、２について説明したが、上述した実施例１、２以外にも、種々の異なる形態が実施されてもよい。そこで、以下では実施例１、２として本実施例に含まれる他の実施例を説明する。
【００６２】
（１）微弱送信機の特定
また、上記の実施例１、２では、配信サーバは、受信した位置情報に基づいて、コンテンツを放送すべき微弱送信機を特定する場合を説明した。しかし、位置情報が示す位置と当該位置の周囲にある特定位置とを結ぶ経路上の位置を放送エリアに含む微弱送信機を特定するようにしてもよい。
【００６３】
例えば、配信サーバは、微弱送信機が設置された位置に関する情報を保持する。また、配信サーバは、駅や大学などのランドマークの位置に関する情報を保持する。そして、配信サーバは、位置情報として、コンテンツ撮影時の位置を携帯端末から受信した場合には、コンテンツ撮影時の位置とランドマークの位置とを結ぶ経路上の位置を放送エリアに含む微弱送信機を特定する。例えば、駅前で動画を撮影し、その動画のコンテンツをアップロードした場合には、その駅周辺の大学などに設置された微弱送信機や、駅と大学とを結ぶ経路途中の微弱送信機を、コンテンツを放送すべき微弱送信機として特定する。これにより、配信サーバは、利用頻度の高いランドマーク付近に設置された微弱送信機に対してコンテンツを配信することができる。
【００６４】
このように、位置情報が示す位置と当該位置の周囲にある特定位置とを結ぶ経路上の位置を放送エリアに含む微弱送信機を特定するので、配信サーバは、より適切な微弱送信機３０でコンテンツを配信することができる。
【００６５】
（２）システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、受信部１４ａと特定部１４ｂを統合してもよい。
【００６６】
（３）プログラム
ところで、上記の実施例で説明した各種の処理は、あらかじめ用意されたプログラムをコンピュータで実行することによって実現することができる。そこで、以下では、図８を用いて、上記の実施例と同様の機能を有するプログラムを実行するコンピュータの一例を説明する。図８は、配信処理プログラムを実行するコンピュータを示す図である。
【００６７】
図８に示すように、このコンピュータ４００は、各種演算処理を実行するＣＰＵ４０１と、ユーザからのデータの入力を受け付ける入力装置４０２と、モニタ４０３を有する。また、コンピュータ４００は、記憶媒体からプログラム等を読取る媒体読み取り装置４０４と、ネットワークを介して他のコンピュータとの間でデータの授受を行うネットワークインターフェース装置４０５を有する。また、コンピュータ４００は、各種情報を一時記憶するＲＡＭ４０６と、ハードディスク装置４０７を有する。各装置４０１〜４０７は、バス４０８に接続される。
【００６８】
そして、ハードディスク装置４０７は、配信処理プログラム４０７ａを記憶する。また、ハードディスク装置４０７はＴＳファイル４０７ｂおよび配信リスト４０７ｃを記憶する。
【００６９】
ＣＰＵ４０１が配信処理プログラム４０７ａをハードディスク装置４０７から読み出してＲＡＭ４０６に展開することにより、配信処理プログラム４０７ａは、配信処理プロセス４０６ａとして機能するようになる。そして、配信処理プロセス４０６ａは、ＴＳファイル４０７ｂおよび配信リスト４０７ｃを利用してコンテンツを配信する。
【００７０】
なお、上記の配信処理プログラム４０７ａは、必ずしもハードディスク装置４０７に格納されている必要はなく、ＣＤ−ＲＯＭ等の記憶媒体に記憶されたプログラムを、コンピュータ４００が読み出して実行するようにしてもよい。また、公衆回線、インターネット、ＬＡＮ（Local  Area  Network）、ＷＡＮ（Wide  Area  Network）等にこの配信処理プログラム４０７ａを記憶させておき、コンピュータ４００がこれらから配信処理プログラム４０７ａを読み出して実行するようにしてもよい。
【符号の説明】
【００７１】
１０  配信サーバ
１１  ＴＳファイル記憶部
１２  配信リスト記憶部
１３  配信処理部
１３ａ  受信部
１３ｂ  特定部
１３ｃ  送信部
２０、２０Ａ、２０Ｂ  携帯端末
２１  受信履歴記憶部
２２  コンテンツ記憶部
２３  放送受信部
２４  コンテンツ記録部
２５  コンテンツ送信部
３０、３０Ａ〜３０Ｃ  微弱送信機
３１  放送処理部
４０  ネットワーク
１００  コンテンツ放送システム
【図１】
0005793916.tif 000002
【図２】
0005793916.tif 000003
【図３】
0005793916.tif 000004
【図４】
0005793916.tif 000005
【図５】
0005793916.tif 000006
【図６】
0005793916.tif 000007
【図７】
0005793916.tif 000008
【図８】
0005793916.tif 000009